(57)【特許請求の範囲】
【請求項１】
ケーブルラックの開口上部に装着したラックカバーを上面から押さえ付けるカバークランプに連結され、このカバークランプをケーブルラックの親桁下端部に固定するカバークランプ用連結金具において、
カバークランプに連結する固定ボルトを介してカバークランプに固定される固定部と、該固定部からラックカバーの屈曲側板及び親桁側面に沿って配される連結部と、該連結部から親桁下端部に係止する係止部とを備え、
連結部にネジ止めされ、該連結部からラックカバーの屈曲側板方向に突出し屈曲側板の塗装膜を剥離して電気的接続を図るカバー接続ネジと、連結部にネジ止めされ、該連結部からケーブルラックの親桁方向に突出し親桁側面の塗装膜を剥離して電気的接続を図るラック接続ネジとを設け、ラックカバーとケーブルラックとが電気的に導通するように構成したことを特徴とするカバークランプ用連結金具。
【請求項２】
前記連結部に、前記ラックカバーの屈曲側板の内側に挿入せしめる補助片を設け、前記カバー接続ネジにて前記屈曲側板への電気的接続を図る際に、前記屈曲側板を裏から支えるように構成した請求項１記載のカバークランプ用連結金具。
【請求項３】
前記固定部は、前記連結部から前記カバークランプに沿って屈曲形成され、該固定部に前記固定ボルトをネジ止めする雌ネジ部がタップ加工された請求項１記載のカバークランプ用連結金具。
【請求項４】
前記連結部は帯板状を成し、前記ケーブルラックの親桁側面に沿った幅広域と前記ラックカバーの屈曲側板に沿った幅狭域とが形成され、該幅広域の上端部左右に前記補助片が一対屈曲形成され、
該幅広域に前記ラック接続ネジをネジ止めする雌ネジ部がタップ加工されると共に、幅狭域に前記カバー接続ネジをネジ止めする雌ネジ部がタップ加工された請求項２記載のカバークランプ用連結金具。
【請求項５】
前記係止部は、前記連結部の幅広域から延長された帯板にて形成され、該帯板先端を側面Ｖ字形状に屈曲した係止端部が設けられ、該係止端部を前記親桁の下端部に形成されたフランジに係止するように構成された請求項１記載のカバークランプ用連結金具。
【発明の詳細な説明】
【技術分野】
【０００１】
本発明は、ケーブルラックにラックカバーを固定する際に使用するカバークランプ用連結金具に係り、ラックカバーの上面を押えるカバークランプをケーブルラックの親桁に連結すると共に、ラックカバーとケーブルラックとの電気的導通を図ることが可能なカバークランプ用連結金具に関する。
【背景技術】
【０００２】
ケーブルラックにラックカバーを固定する場合、特許文献１に記載のごとく、ラックカバーの上面を杆体状のカバークランプで押え付け、このカバークランプとケーブルラックの親桁下端部とを連結するフックボルトでラックカバーを固定する工法が採られている。
【０００３】
一方、ラックカバーとケーブルラックとの電気的導通を図る固定具が特許文献２に記載されている。この固定具は、ケーブルラックにラックカバーを固定する際に、機械的接続と電気的接続とを同一部材で行う構成である。
【先行技術文献】
【特許文献】
【０００４】
【特許文献１】特許第３４２１８４９号公報
【特許文献２】特開２００４-２８２８５３号公報
【発明の概要】
【発明が解決しようとする課題】
【０００５】
特許文献１に記載のカバークランプ用連結金具では、カバークランプの使用によりラックカバーを強固に固定できるが、ラックカバーとケーブルラックとの電気的導通を図ることはできないという課題があった。
【０００６】
一方、特許文献２に記載の固定具では、ケーブルラックとカバーとの電気的接続を図ることは可能でも、ケーブルラックとラックカバーとの機械的接続強度に課題を残すものであった。
【０００７】
すなわち、特許文献２の固定具は、ケーブルラックの下端部からラックカバーの上面に係止するように全体が略コ字状を成すもので、ケーブルラックの側面と、カバーの上面との二箇所に向けて雄ねじ部材を締め付ける構成を備えている。そして、ラックカバーとケーブルラックとの固定は、これら２本の雄ねじ部材の先端を止着することで固定されるものである。
【０００８】
このように、特許文献２の固定具は、雄ねじ部材の先端でカバーを圧着固定する点状の固定になっているため、特許文献１のような直線状のカバークランプでラックカバーを圧着固定する固定具と比較すると、固定強度が脆弱にならざるを得ないものであった。したがって、ラックカバーを圧着している雄ねじ部材に横から衝撃が加わったり、台風などの強風にラックカバーがあおられたりすると、ラックカバー上面から雄ねじ部材が外れるおそれがある。
【０００９】
そこで、本発明は上述の課題を解消すべく創出されたもので、カバークランプを強固に固定しながら、ラックカバーとケーブルラックとの電気的導通を図ることができるカバークランプ用連結金具の提供を目的とする。
【課題を解決するための手段】
【００１０】
上述の目的を達成すべく本発明における第１の手段は、ケーブルラックＰの開口上部に装着したラックカバーＱを上面から押さえ付けるカバークランプＲに連結され、このカバークランプＲをケーブルラックＰの親桁Ｐ１下端部に固定するカバークランプ用連結金具において、
カバークランプＲに連結する固定ボルト５を介してカバークランプＲに固定される固定部１と、該固定部１からラックカバーＱの屈曲側板Ｑ１及び親桁Ｐ１側面に沿って配される連結部２と、該連結部２から親桁Ｐ１下端部に係止する係止部３とを備え、
連結部２にネジ止めされ、該連結部２からラックカバーＱの屈曲側板Ｑ１方向に突出し屈曲側板Ｑ１の塗装膜Ｔを剥離して電気的接続を図るカバー接続ネジ６と、連結部２にネジ止めされ、該連結部２からケーブルラックＰの親桁Ｐ１方向に突出し親桁Ｐ１側面の塗装膜Ｔを剥離して電気的接続を図るラック接続ネジ７とを設け、ラックカバーＱとケーブルラックＰとが電気的に導通するように構成したことにある。
【００１１】
第２の手段は、前記連結部２に、前記ラックカバーＱの屈曲側板Ｑ１の内側に挿入せしめる補助片４を設け、前記カバー接続ネジ６にて前記屈曲側板Ｑ１への電気的接続を図る際に、前記屈曲側板Ｑ１を裏から支えるように構成したものである。
【００１２】
第３の手段の前記固定部１は、前記連結部２から前記カバークランプＲに沿って屈曲形成され、該固定部１に前記固定ボルト５をネジ止めする雌ネジ部１Ａがタップ加工されている。
【００１３】
第４の手段において、前記連結部２は帯板状を成し、前記ケーブルラックＰの親桁Ｐ１側面に沿った幅広域２Ｂと前記ラックカバーＱの屈曲側板Ｑ１に沿った幅狭域２Ａとが形成され、該幅広域２Ｂの上端部左右に前記補助片４が一対屈曲形成され、
該幅広域２Ｂに前記ラック接続ネジ７をネジ止めする雌ネジ部２Ｄがタップ加工されると共に、幅狭域２Ａに前記カバー接続ネジ６をネジ止めする雌ネジ部２Ｃがタップ加工されたことにある。
【００１４】
第５の手段において、前記係止部３は、前記連結部２の幅広域２Ｂから延長された帯板にて形成され、該帯板先端を側面Ｖ字形状に屈曲した係止端部３Ａが設けられ、該係止端部３Ａを前記親桁Ｐ１の下端部に形成されたフランジＰ２に係止するように構成されたものである。
【発明の効果】
【００１５】
本発明の請求項１のごとく、ケーブルラックＰの開口上部に装着したラックカバーＱを上面から押さえ付けるカバークランプＲに連結され、このカバークランプＲをケーブルラックＰの親桁Ｐ１下端部に固定するカバークランプ用連結金具において、連結部２にネジ止めされラックカバーＱの屈曲側板Ｑ１の塗装膜Ｔを剥離して電気的接続を図るカバー接続ネジ６と、連結部２にネジ止めされケーブルラックＰの親桁Ｐ１側面の塗装膜Ｔを剥離して電気的接続を図るラック接続ネジ７とを設けたことにより、カバークランプＲを利用してラックカバーＱを強固に固定しながら、ラックカバーＱとケーブルラックＰとの電気的導通を図ることができる。この結果、ラックカバーＱとケーブルラックＰとの電気的導通を図る従来の固定具のように、固定力の脆弱性は解消された。
【００１６】
請求項２のように、前記連結部２に、前記ラックカバーＱの屈曲側板Ｑ１の内側に挿入せしめる補助片４を設け、屈曲側板Ｑ１を裏から支えるように構成したことで、カバー接続ネジ６で屈曲側板Ｑ１に電気的接続を図る際に、屈曲側板Ｑ１の変形を防止しながら確実に電気的接続することができる。しかも、ラックカバーＱの屈曲側板Ｑ１をカバー接続ネジ６で固定することになるので、カバークランプＲのみでラックカバーＱを固定する従来の固定力を超えた高い固定力でラックカバーＱを固定することができる。
【００１７】
請求項３のごとく、前記固定部１は、前記連結部２から前記カバークランプＲに沿って屈曲形成され、前記固定ボルト５をネジ止めする雌ネジ部１Ａがタップ加工されているので、本発明連結金具とカバークランプＲとの連結作業が極めて簡単に行えるものである。
【００１８】
請求項４のように、前記連結部２は帯板状を成し、前記ケーブルラックＰの親桁Ｐ１側面に沿った幅広域２Ｂと前記ラックカバーＱの屈曲側板Ｑ１に沿った幅狭域２Ａとが形成され、該幅広域２Ｂの上端部左右に前記補助片４が一対屈曲形成されたことから、構造的に強度が高く、補助片４による屈曲側板Ｑ１の変形を防止すると共に、ラックカバーＱの支持強度を高めることができる。更に、該幅広域２Ｂに前記ラック接続ネジ７をネジ止めする雌ネジ部２Ｄがタップ加工されると共に、幅狭域２Ａに前記カバー接続ネジ６をネジ止めする雌ネジ部２Ｃがタップ加工されたことにより、電気的接続作業を容易にするものである。
【００１９】
請求項５によると、前記係止部３は、前記連結部２の幅広域２Ｂから延長された帯板にて形成され、該帯板先端を側面Ｖ字形状に屈曲した係止端部３Ａが設けられ、該係止端部３Ａを前記親桁Ｐ１の下端部に形成されたフランジＰ２に係止するように構成されたものであるから、係止部３の強度を高めることができる。更に、ラック接続ネジ７を締め付けることにより、フランジＰ２の端部が係止端部３Ａの内側に食い込むので、電気的接続をとりながら本発明連結金具のはずれ防止効果も奏し、より高い固定力でラックに固定することができる。この結果、従来のフックボルトでラックカバーを固定する工法に比べて極めて強固な固定力が得られるものである。
【図面の簡単な説明】
【００２０】
【図１】本発明の使用状態を示す斜視図である。
【図２】本発明の使用状態を示す側断面図である。
【図３】本発明の一実施例を示す斜視図である。
【図４】本発明の電気的接続状態を示す要部断面図である。
【図５】本発明の電気的導通状態の一実施例を示す要部側面図である。
【発明を実施するための形態】
【００２１】
本発明によると、カバークランプを利用してラックカバーを強固に固定しながら、ラックカバーとケーブルラックとの電気的導通を図ることができるなどといった当初の目的を達成した。
【００２２】
本発明は、ケーブルラックＰの開口上部にラックカバーＱを装着する際に使用するカバークランプＲと親桁Ｐ１とを固定する連結金具である（図１参照）。
【００２３】
すなわち、ラックカバーＱを上面から押さえ付けるカバークランプＲに連結すると共に、このカバークランプＲをケーブルラックＰの親桁Ｐ１下端部に固定する連結金具である。本発明連結金具の基本構成は、固定部１、連結部２、係止部３が一体となって屈曲形成されたものである（図３参照）。
【００２４】
固定部１は、カバークランプＲに固定される部位で、カバークランプＲに開穿されたボルト挿通孔Ｒ１に挿通した固定ボルト５で固定する（図２参照）。この固定部１は、カバークランプＲに沿って形成され、固定ボルト５をネジ止めする雌ネジ部１Ａがタップ加工されている。図示例の固定ボルト５は、この雌ネジ部１Ａに座金５Ａを介して上から固定ボルト５をネジ止めするものである（図３参照）。
【００２５】
連結部２は、固定部１から屈曲縁長された部位で、ラックカバーＱの屈曲側板Ｑ１及び親桁Ｐ１側面に沿って配される（図２参照）。図示の連結部２は帯板状を成し、幅狭域２Ａと幅広域２Ｂとが形成されている（図３参照）。幅狭域２ＡはラックカバーＱの屈曲側板Ｑ１に沿った部位で、幅広域２ＢはケーブルラックＰの親桁Ｐ１側面に沿った部位となる（図２参照）。
【００２６】
連結部２の幅狭域２Ａには、該連結部２からラックカバーＱの屈曲側板Ｑ１方向に突出するカバー接続ネジ６がネジ止めされている（図２参照）。このカバー接続ネジ６は、突出する先端部で屈曲側板Ｑ１の塗装膜Ｔを剥離して電気的接続を図るものである。そのため、カバー接続ネジ６として、くぼみ先ボルトを使用することで、塗装膜Ｔの剥離を容易にすることができる。図示例では、この幅狭域２Ａに雌ネジ部２Ｃがタップ加工されており、この雌ネジ部２Ｃにカバー接続ネジ６をネジ止めしている（図３参照）。
【００２７】
一方、連結部２の幅広域２Ｂには、ラック接続ネジ７をネジ止めする雌ネジ部２Ｄがタップ加工され、この雌ネジ部２Ｄにラック接続ネジ７をネジ止めしている（図３参照）。このラック接続ネジ７は、連結部２からケーブルラックＰの親桁Ｐ１方向に突出するネジの先端部で親桁Ｐ１側面の塗装膜Ｔを剥離して電気的接続を図るものである（図２参照）。このラック接続ネジ７も、カバー接続ネジ６と同じように、くぼみ先ボルトを使用している（図４参照）。
【００２８】
更に、連結部２には、幅広域２Ｂの上端部左右から上方を向いた補助片４が一対屈曲形成されている（図３参照）。この補助片４は、ラックカバーＱの屈曲側板Ｑ１の内側と親桁Ｐ１外側面との間に挿入せしめる部材である（図２参照）。そして、カバー接続ネジ６にて屈曲側板Ｑ１の表面塗装を剥離して電気的接続を図る際に、屈曲側板Ｑ１を裏から支えるように構成している。また、この補助片４は、屈曲側板Ｑ１の変形を防止すると共に、屈曲側板Ｑ１を挟み付けることで、ラックカバーＱを固定する機能も有している。
【００２９】
係止部３は、連結部２から親桁Ｐ１下端部に係止する略Ｌ字形状の部位であり、この係止部３をケーブルラックＰの親桁Ｐ１下端部に固定する（図２参照）。図示例の係止部３は、幅広域２Ｂから延長された帯板にて形成されている（図３参照）。更に、この帯板先端を側面Ｖ字形状に屈曲して係止端部３Ａを設けている。この係止端部３Ａを親桁Ｐ１に係止する際に、親桁Ｐ１の下端部に形成されたフランジＰ２に係止するものである（図２参照）。
【００３０】
本発明連結金具によりケーブルラックＰとラックカバーＱとが連結されると電気的に導通するようになる（図５参照）。同図に示す矢印は導通方向を示している。すなわち、カバー接続ネジ６による屈曲側板Ｑ１への電気的接続により、ラックカバーＱと本発明連結金具とが電気的に導通する。また、ラック接続ネジ７による親桁Ｐ１への電気的接続によりケーブルラックＰと本発明連結金具とが電気的に導通し、本発明連結金具を介してケーブルラックＰとラックカバーＱとが電気的に導通することになる。更に、従来では、ケーブルラックＰ相互を連結する継ぎ金具Ｓが使用されている。この継ぎ金具Ｓは、継ぎボルトＳ１やフランジ付ナット（図示せず）等を介してケーブルラックＰ相互の電気的導通を図るものである。そこで、本発明連結金具と継ぎ金具Ｓと組み合せることで、ラックカバーＱを含めてケーブルラックＰ相互を電気的に導通させることができる。
【００３１】
尚、本発明は図示例に限定されるものではなく、本発明の要旨を変更しない範囲での設計変更は自由である。
【符号の説明】
【００３２】
Ｐ  ケーブルラック
Ｐ１  親桁
Ｐ２  フランジ
Ｑ  ラックカバー
Ｑ１  屈曲側板
Ｒ  カバークランプ
Ｒ１  ボルト挿通孔
Ｓ  継ぎ金具
Ｓ１  継ぎボルト
Ｔ  塗装膜
１  固定部
１Ａ  雌ネジ部
２  連結部
２Ａ  幅狭域
２Ｂ  幅広域
２Ｃ  雌ネジ部
２Ｄ  雌ネジ部
３  係止部
３Ａ  係止端部
４  補助片
５  固定ボルト
５Ａ  座金
６  カバー接続ネジ
７  ラック接続ネジ
【要約】
【課題】カバークランプを固定しながら、ラックカバーとケーブルラックとの電気的導通を図るカバークランプ用連結金具を提供する。
【解決手段】カバークランプＲに固定される固定部１を設ける。固定部１から屈曲側板Ｑ１及び親桁Ｐ１側面に沿って配される連結部２を設ける。連結部２から親桁Ｐ１下端部に係止する略Ｌ字形状の係止部３を設ける。連結部２にカバー接続ネジ６をネジ止めする。カバー接続ネジ６にて屈曲側板Ｑ１の表面塗装を剥離して電気的接続を図る。連結部２にラック接続ネジ７をネジ止めする。ラック接続ネジ７にて親桁Ｐ１側面の表面塗装を剥離して電気的接続を図る。
【選択図】  図２【図１】
0005458192.tif 000002
【図２】
0005458192.tif 000003
【図３】
0005458192.tif 000004
【図４】
0005458192.tif 000005
【図５】
0005458192.tif 000006